(57)【要約】【課題】  制御ギヤや駆動側ギヤといった成形部品の寸法ばらつきなどに起因して、可動フレームの下降動作の限界位置で駆動側ギヤが制御ギヤに対する有効噛合い域から逸脱してしまって異音を発生したり動作不良を起こしたりするというおそれをなくする。【解決手段】  筐体１に昇降可能に取り付けた可動フレーム５にディスク保持機構６が搭載されていて、ディスク保持機構６によるディスク保持動作及びその解除動作が可動フレーム５の昇降動作を伴って行われる。可動フレーム５の昇降動作が筐体１に取り付けた制御ギヤ７の回転を通じて行われ、制御ギヤ７に回転を伝達する駆動側ギヤ８が可動フレームに取り付けられている。可動フレーム５の当り部５４に当接してその可動フレーム５の下降動作の限界位置を規制するストッパ１４を筐体１に設ける。【選択図】        図２
2006079724.tif 000002
【特許請求の範囲】
【請求項１】
筐体とディスクを保持して回転させるためのディスク保持機構を搭載して上記筐体に昇降可能に取り付けられた可動フレームとを備え、上記ディスク保持機構によるディスク保持動作が上記可動フレームの上昇動作を伴って行われ、かつ、上記ディスク保持機構に保持されたディスクの保持解除動作が上記可動フレームの下降動作を伴って行われるように構成されていると共に、上記可動フレームの昇降動作が上記筐体に取り付けられた制御ギヤの回転を通じて行われ、その制御ギヤに噛み合って回転を伝達する駆動側ギヤが上記可動フレームに取り付けられていて、上記可動フレームの昇降動作中に上記駆動側ギヤが上記制御ギヤに噛み合ったままその可動フレームと一体に昇降動作を行うように構成されているディスク装置において、
上記可動フレームは、上記筐体に取り付けられた基端部を中心に揺動して昇降可能となされており、その可動フレームの昇降幅が、上記制御ギヤの回転を通じて往復移動されるカムスライダと、上記可動フレームの自由端部に設けられて上記カムスライダにより昇降方向に案内される係合突起とを備えたカム機構によって規制されるように構成されており、
上記可動フレームに具備された当り部に当接してその可動フレームの下降動作の限界位置を規制することにより、上記駆動側ギヤが上記制御ギヤに対する有効噛合い域から逸脱することを阻止するストッパを備え、
上記当り部が、上記可動フレームに設けられて上記駆動側ギヤが取り付けられている取付板部に備わり、上記ストッパが、上記筐体に設けられて上記取付板部の下側に位置する突出部でなることを特徴とするディスク装置。
【請求項２】
筐体とディスクを保持して回転させるためのディスク保持機構を搭載して上記筐体に昇降可能に取り付けられた可動フレームとを備え、上記ディスク保持機構によるディスク保持動作が上記可動フレームの上昇動作を伴って行われ、かつ、上記ディスク保持機構に保持されたディスクの保持解除動作が上記可動フレームの下降動作を伴って行われるように構成されていると共に、上記可動フレームの昇降動作が上記筐体に取り付けられた制御ギヤの回転を通じて行われ、その制御ギヤに噛み合って回転を伝達する駆動側ギヤが上記可動フレームに取り付けられていて、上記可動フレームの昇降動作中に上記駆動側ギヤが上記制御ギヤに噛み合ったままその可動フレームと一体に昇降動作を行うように構成されているディスク装置において、
上記可動フレームに具備された当り部に当接してその可動フレームの下降動作の限界位置を規制することにより、上記駆動側ギヤが上記制御ギヤに対する有効噛合い域から逸脱することを阻止するストッパを備えていることを特徴とするディスク装置。
【請求項３】
上記ストッパが上記筐体に設けられている請求項２に記載したディスク装置。
【請求項４】
上記当り部が、上記可動フレームに設けられて上記駆動側ギヤが取り付けられている取付板部に備わり、上記ストッパが、上記筐体に設けられて上記取付板部の下側に位置する突出部でなる請求項２に記載したディスク装置。
【発明の詳細な説明】
【技術分野】
【０００１】
本発明は、ディスク装置、特に、ディスクの記録時又は再生時にディスクを保持して回転させるディスク保持機構を搭載した可動フレームが筐体に昇降可能に取り付けられていて、その可動フレームの昇降動作が筐体に取り付けらた制御ギヤの回転を通じて行われ、その制御ギヤに噛み合って回転を伝達する駆動側ギヤが可動フレームに取り付けられているディスク装置に関する。
【背景技術】
【０００２】
図４はこの種のディスク装置の要部を上から見て示した概略平面図である。このディスク装置は、樹脂成形体でなるメインシャーシとしての筐体１と、この筐体１に取り付けられたドライブシャーシとしての可動フレーム５とを備えていて、可動フレーム５の基端部が支持機構５１を介して筐体１に取り付けられている。そして、可動フレーム５が支持機構５１を中心に揺動して昇降可能となっていて、その可動フレーム５の昇降がカム機構６の動作を通じて行われるようになっている。
【０００３】
図５はカム機構６を例示した正面図であって、同図のように、このカム機構６は、筐体１（図４参照）に左右方向Ｗにスライド自在に取り付けられたカムスライダ６１と、可動フレーム５（図４参照）の自由端部に設けられてカムスライダ６１のカム溝６２にスライダ自在に嵌合された係合突起６３とを備えていて、カムスライダ６１が左右方向Ｗに往復移動すると、係合突起６３がカム溝６２により昇降方向Ａに案内されて昇降幅Ｈの範囲内で昇降する。図４のように、筐体１には制御ギヤ７が定位置で回転自在に取り付けられているのに対し、図５に示したようにカムスライダ６１にはラック６４が備わっていて、そのラック６４の噛み合った制御ギヤ７が正方向又は逆方向に回転することによってカムスライダ６１が左右方向Ｗに往復移動して上記のように可動フレーム５が昇降する。
【０００４】
図４のように、筐体１側に取り付けられている制御ギヤ７に噛み合って回転を伝達する駆動側ギヤ８が、可動フレーム５の自由端部の定位置に回転自在に取り付けられている。そして、可動フレーム５に搭載されたモータＭの回転が、同じく可動フレーム５側に取り付けられたウォーム機構８１と中間歯車８２と駆動側ギヤ８とを介して制御ギヤ７に伝達されるようになっている。図示していないけれども、可動フレーム５には光ピックアップが搭載されていて、この光ピックアップが、ウォーム機構８１のウォームホイル８１ａに同軸に備わっているピニオン８３の正逆回転を通じて、図４の矢印Ｐのように前後方向（ディスク半径方向）に移動するようになっている。
【０００５】
さらに、図４に示したように、可動フレーム５にはディスク保持機構９が搭載されている。このディスク保持機構９は、可動フレーム５に取り付けられたモータ９１とこのモータ９１の回転軸に固着されたターンテーブル９２とでなる。これに対し、ターンテーブル９２と共働してディスク（不図示）をクランプして保持するためのディスク押え板９３が筐体１側に備わっている。
【０００６】
図示していないけれども、筐体１にはディスクトレイが取り付けられていて、このディスクトレイが、上記した制御ギヤ７に同軸に設けられたローディングギヤ７１の回転によって筐体１の内側と外側との間で出退されるようになっている。そして、筐体１の外側に引き出されたディスクトレイにディスクが載架され、そのディスクは、可動フレーム５が下降しているときに筐体１の内側へ引き込まれたディスクトレイと共に筐体１内に搬入されて上記ターンテーブル９２の上方に配備される。また、このようなディスクの搬入動作に連動して上記カムスライダ６１のラック６４が回転中の制御ギヤ７に噛み合うようになっている。したがって、ディスクが筐体１内に搬入されるのにタイミングを合わせて、カムスライダ６１が移動して可動フレーム５が上昇動作を行い、そのような可動フレーム５の上昇動作が行われると、ターンテーブル９２がディスクトレイに載架されているディスクを受け取ってディスクトレイから浮き上がらせると共に、筐体１側のディスク押え板９３と共働してディスクをクランプして保持する。この後、モータ９１が始動し、回転中のディスクに対して光ピックアップによる走査モードが実行される。
【０００７】
また、制御ギヤ７が逆回転すると、カムスライダ６１の逆向き移動によって可動フレーム５が上昇位置からの下降を開始するので、ターンテーブル９２がディスク押え板９３から離れてディスク保持機構９によるディスクの保持状態が解除されると共に、ディスクがターンテーブル９２からディスクトレイに受け渡される。
【０００８】
以上説明したディスク装置において、可動フレーム５側の駆動側ギヤ８は、可動フレーム５が昇降するときにそれと一体に昇降動作を行い、その昇降動作中は常に制御ギヤ７と噛み合っている。この点を図６及び図７に示してあり、そのうち、図６は可動フレーム５が上昇動作の限界位置に位置しているときの噛合い状態を示した概略側面図、図７は可動フレーム５が下降動作の限界位置に位置しているときの噛合い状態を示した概略側面図である。
【０００９】
図６に示している可動フレーム５の上昇動作の限界位置は、図５を参照して説明したカムスライダ６１のカム溝６２の上端に係合突起６３が係合しているときの可動フレーム５の位置であり、図７に示している可動フレーム５の下降動作の限界位置は、同カム溝６２の下端に係合突起６３が係合しているときの可動フレーム５の位置であるため、可動フレーム５に取り付けられている駆動側ギヤ８は、図５に示した係合突起６３の昇降幅Ｈに見合う範囲内で昇降することになる。したがって、制御ギヤ７の上端は、可動フレーム５の上昇動作の限界位置で駆動側ギヤ８から回転を確実に伝達され得る正常な噛合い状態を保つ高さに位置していることが必要であり、制御ギヤ７の下端は、可動フレーム５の下降動作の限界位置で駆動側ギヤ８から回転を確実に伝達され得る正常な噛合い状態を保つ高さに位置していることが必要である。しかも、制御ギヤ７には、上記したカムスライダ６１のラック６４の噛合い代が付加されていることが必要である。
【００１０】
このことから、従来のディスク装置では、制御ギヤ７を上方に延ばしてカムスライダ６１のラック６４との噛合い代を付加した上で、制御ギヤ７をできるだけ背低にしてその小形化を図ることなどのために、その制御ギヤ７の下端を、可動フレーム５の下降動作の限界位置で、駆動側ギヤ８から回転を確実に伝達され得る正常な噛合い状態を保つのに必要かつ十分な高さに位置させていた。
【００１１】
他方、筐体に昇降可能に取り付けられた可動フレームの昇降動作を通じてディスクのクランプやクランプ解除を行うようにした種類のディスク装置は従来より知られていた（たとえば特許文献１、特許文献２、特許文献３、特許文献４参照）。
【特許文献１】特許第２９５１１１８号公報
【特許文献２】特開２００２−８３４５号公報
【特許文献３】特開２００２−２８８９１４号公報
【特許文献４】特開２００３−２１７２１１号公報
【発明の開示】
【発明が解決しようとする課題】
【００１２】
しかしながら、従来のディスク装置のように、制御ギヤ７の下端を、可動フレーム５の下降動作の限界位置で、駆動側ギヤ８から回転を確実に伝達され得る正常な噛合い状態を保つのに必要かつ十分な高さに位置させた場合には、次に説明するような問題点が知見された。
【００１３】
すなわち、可動フレーム５の昇降幅を規制する樹脂成形体でなるカムスライダ６１のカム溝６２に成形寸法のばらつきが生じたり、制御ギヤ７や駆動側ギヤ８に成形寸法のばらつきが生じたり、制御ギヤ７や駆動側ギヤ８などの取付高さに寸法ばらつきが生じたりした場合には、可動フレーム５の下降動作の限界位置では駆動側ギヤ８が制御ギヤ７に対し下がり過ぎて両ギヤ８，７の正常な噛合い状態が得られなくなり、駆動側ギヤ８の回転が確実に制御ギヤ７に伝達されなくなるというおそれがあった。具体的には、可動フレーム５の下降動作の限界位置で、駆動側ギヤ８が制御ギヤ７に対し下がり過ぎて駆動側ギヤ８が制御ギヤ７に対する有効噛合い域から逸脱してしまい、駆動側ギヤ８と制御ギヤ７との噛合い幅が不足して所謂歯飛び現象が発生し、それによって駆動側ギヤ８の回転が確実に制御ギヤ７に伝達されなくなって異音が発生したり動作不良が発生したりするというおそれや、駆動側ギヤ８と制御ギヤとの噛合いが外れてしまって駆動側ギヤ８の回転が確実に制御ギヤ７に伝達されなくなって動作不良が発生するというおそれがあった。
【００１４】
これに対し、上掲の各特許文献１〜４によっては、上記制御ギヤ７や駆動側ギヤ８といった成形部品の寸法ばらつき、それらの取付状態での寸法ばらつきによって可動フレーム５の下降動作の限界位置で駆動側ギヤ８が制御ギヤ７に対し下がり過ぎ、そのことが原因となって駆動側ギヤ８が制御ギヤ７に対する有効噛合い域から逸脱してしまうというおそれを改善し得る有効な対策は見い出すことができない。
【００１５】
本発明は以上の状況の下でなされたものであり、部品点数を増やすことなく、制御ギヤや駆動側ギヤといった成形部品の寸法ばらつき、それらの取付状態での寸法ばらつきに起因して、可動フレームの下降動作の限界位置で駆動側ギヤが制御ギヤに対する有効噛合い域から逸脱してしまうというおそれを改善し得る有効な対策を提案することを目的とするものである。
【００１６】
また、本発明は、可動フレームの下降動作の限界位置で駆動側ギヤが制御ギヤに対する有効噛合い域から逸脱してしまうというおそれを、機械的な手段で確実に改善することのできる有効な対策を提案することを目的とするものである。
【課題を解決するための手段】
【００１７】
本発明に係るディスク装置は、筐体とディスクを保持して回転させるためのディスク保持機構を搭載して上記筐体に昇降可能に取り付けられた可動フレームとを備え、上記ディスク保持機構によるディスク保持動作が上記可動フレームの上昇動作を伴って行われ、かつ、上記ディスク保持機構に保持されたディスクの保持解除動作が上記可動フレームの下降動作を伴って行われるように構成されていると共に、上記可動フレームの昇降動作が上記筐体に取り付けられた制御ギヤの回転を通じて行われ、その制御ギヤに噛み合って回転を伝達する駆動側ギヤが上記可動フレームに取り付けられていて、上記可動フレームの昇降動作中に上記駆動側ギヤが上記制御ギヤに噛み合ったままその可動フレームと一体に昇降動作を行うように構成されているディスク装置において、上記可動フレームに具備された当り部に当接してその可動フレームの下降動作の限界位置を規制することにより、上記駆動側ギヤが上記制御ギヤに対する有効噛合い域から逸脱することを阻止するストッパを備えている、というものである。
【００１８】
この構成であれば、可動フレームの下降動作の限界位置でその可動フレームの当り部がストッパに当接することにより、駆動側ギヤが制御ギヤに対する有効噛合い域から逸脱することを阻止される。このため、可動フレームの下降動作の限界位置で駆動側ギヤが制御ギヤに対する有効噛合い域から逸脱してしまうというおそれを、機械的な手段で確実に改善することのできる有効な対策となる。なお、制御ギヤに対する駆動側ギヤの有効噛合い域とは、駆動側ギヤから制御ギヤに対して回転を確実に伝達することのできる制御ギヤの軸長方向での噛合い域のことである。
【００１９】
本発明では、上記ストッパが上記筐体に設けられていることが望ましい。これによれば、ストッパを筐体と共に合成樹脂で一体成形することが可能になり、そうすることによって、歯飛びに起因する異音の発生や動作不良の発生を抑制するのに部品点数を増やさなくて済み、しかも、生産不良率を低下させて生産効率を向上させることが可能になる。また、ユーザに対して従来より動作性能の安定性が向上した高品質のディスク装置を提供することが可能になる。
【００２０】
本発明では、上記当り部が、上記可動フレームに設けられて上記駆動側ギヤが取り付けられている取付板部に備わり、上記ストッパが、上記筐体に設けられて上記取付板部の下側に位置する突出部でなるという構成を採用することが可能であり、これによれば、可動フレームの撓み変形などの影響を受けずに、駆動側ギヤが制御ギヤとの有効噛合い位置から逸脱することを確実に防ぐことができるようになる。
【００２１】
本発明に係るディスク装置は、筐体とディスクを保持して回転させるためのディスク保持機構を搭載して上記筐体に昇降可能に取り付けられた可動フレームとを備え、上記ディスク保持機構によるディスク保持動作が上記可動フレームの上昇動作を伴って行われ、かつ、上記ディスク保持機構に保持されたディスクの保持解除動作が上記可動フレームの下降動作を伴って行われるように構成されていると共に、上記可動フレームの昇降動作が上記筐体に取り付けられた制御ギヤの回転を通じて行われ、その制御ギヤに噛み合って回転を伝達する駆動側ギヤが上記可動フレームに取り付けられていて、上記可動フレームの昇降動作中に上記駆動側ギヤが上記制御ギヤに噛み合ったままその可動フレームと一体に昇降動作を行うように構成されているディスク装置において、上記可動フレームは、上記筐体に取り付けられた基端部を中心に揺動して昇降可能となされており、その可動フレームの昇降幅が、上記制御ギヤの回転を通じて往復移動されるカムスライダと、上記可動フレームの自由端部に設けられて上記カムスライダにより昇降方向に案内される係合突起とを備えたカム機構によって規制されるように構成されており、上記可動フレームに具備された当り部に当接してその可動フレームの下降動作の限界位置を規制することにより、上記駆動側ギヤが上記制御ギヤに対する有効噛合い域から逸脱することを阻止するストッパを備え、上記当り部が、上記可動フレームに設けられて上記駆動側ギヤが取り付けられている取付板部に備わり、上記ストッパが、上記筐体に設けられて上記取付板部の下側に位置する突出部でなる、という構成を採用することによっていっそう具体化される。この発明の作用は、後述する実施形態を参照して詳細に説明する。
【発明の効果】
【００２２】
以上説明したように、本発明によれば、可動フレームの当り部に当接してその可動フレームの下降動作の限界位置を規制するストッパを設けるだけの簡単な構成によって、可動フレームの下降動作の限界位置で駆動側ギヤが制御ギヤに対する有効噛合い域から逸脱してしまうというおそれを無くして異音の発生や動作不良の発生を確実に防止することが可能になる。特に、ストッパを筐体に設けるという構成を採用すると、そのストッパを筐体と共に一体成形して必要部品点数の増大を回避することが可能になるという利点がある。したがって、生産不良率が低下し、生産効率も向上するという効果が奏されるだけでなく、ユーザに対して動作安定性に優れた高品質なディスク装置を提供することができるようになるという効果が奏される。また、ストッパが、駆動側ギヤが取り付けられている可動フレームの取付板部の下側に位置する突出部でなる、という構成を採用すると、可動フレームの撓み変形などの影響を受けずに、駆動側ギヤが制御ギヤとの有効噛合い位置から逸脱することを確実に防ぐことができるようになるという効果が奏される。
【発明を実施するための最良の形態】
【００２３】
図１は本発明の実施形態に係るディスク装置の筐体１をその下面側から見て示した底面図、図２は可動フレーム５が下降動作の限界位置に位置しているときの噛合い状態を示した概略側面図、図３は要部を拡大して示した作用説明図である。
【００２４】
この実施形態のディスク装置では、図１〜図３のように、可動フレーム５側の取付板部５２に駆動側ギヤ８が支軸５３を介して回転自在に取り付けられていて、その取付板部５２の端縁が当り部５４として形成されている。これに対し、筐体１側の取付板部１３に、上記当り部５４の下方に至る長さを有するリブ状ないし板片状の突出部でなるストッパ１４が一体成形されている。
【００２５】
この実施形態において、可動フレーム５側の取付板部５２に当り部５４が備わっている点及び筐体１側の取付板部１３にストッパ１４が備わっている点以外の構成は、図４及び図５を参照して説明したディスク装置の構成と同様である。したがって、可動フレーム５に取り付けられている駆動側ギヤ８は、図５で説明した係合突起６３の昇降幅Ｈに見合う範囲内で可動フレーム５と一体となって昇降する。そして、制御ギヤ７の下端が、可動フレーム５の下降動作の限界位置で駆動側ギヤ８から回転を確実に伝達され得る正常な噛合い状態を保つ高さに位置しているのに対し、制御ギヤ７には、カムスライダ６１のラック６４の噛合い代が付加されている。
【００２６】
このような構成を備えたディスク装置では、可動フレーム５の昇降幅が図５で説明した係合突起６３の昇降幅Ｈに関連付けられているので、設計的には、可動フレーム５の下降動作の限界位置で駆動側ギヤ８が回転を確実に伝達し得る正常な噛合い状態を保つようになり、歯飛びに伴う異音が発生したり動作不良が発生したりするという事態は起こり得ない。
【００２７】
しかしながら、制御ギヤ７や駆動側ギヤ８といった成形部品の寸法ばらつき、それらの取付状態での寸法ばらつきが存在する場合、従来は、そのことに起因して、可動フレームの下降動作の限界位置で駆動側ギヤ８が制御ギヤ７に対する有効噛合い域から逸脱してしまうというおそれが生じていたけれども、この実施形態では、可動フレーム５の下降動作の限界位置で、制御ギヤ７に対する有効噛合い域から駆動側ギヤ８を逸脱させるような寸法ばらつきが上記成形部品やその取付部分などに存在していたとしても、図２又は図３に示したように、可動フレーム５の下降動作の限界位置で可動フレーム５側の当り部５４が筐体１側のストッパ１４に当接することにより、駆動側ギヤ８が下がり過ぎて制御ギヤ７に対する有効噛合い域Ｓから逸脱してしまうという事態の起こることが阻止される。このため、可動フレーム５の下降動作の限界位置で駆動側ギヤ８が制御ギヤ７に対する有効噛合い域から逸脱して歯飛び現象が発生し、その歯飛び現象に伴う異音を発生したり動作不良を生じたりすることが起こらなくなって、動作性能の安定性が向上する。
【００２８】
この実施形態では、当り部５４が可動フレーム５側の駆動側ギヤ８の取付板部５２に備わっているので、可動フレーム５の撓み変形などの影響を受けずに、駆動側ギヤ８が制御ギヤ７との有効噛合い位置から逸脱することを確実に防ぐことができるようになる。
【図面の簡単な説明】
【００２９】
【図１】本発明の実施形態に係るディスク装置の筐体をその下面側から見て示した底面図である。
【図２】可動フレームが下降動作の限界位置に位置して当り部がストッパに当接しているときの制御ギヤと駆動側ギヤとの噛合い状態を示した概略側面図である。
【図３】要部を拡大して示した作用説明図である。
【図４】ディスク装置の要部を上から見て一部省略して示した概略平面図である。
【図５】カム機構を例示した正面図である。
【図６】従来例において、可動フレームが上昇動作の限界位置に位置しているときの噛合い状態を示した概略側面図である。
【図７】従来例において、可動フレームが下降動作の限界位置に位置しているときの噛合い状態を示した概略側面図である。
【符号の説明】
【００３０】
１  筐体
５  可動フレーム
６  カム機構
７  制御ギヤ
８  駆動側ギヤ
９  ディスク保持機構
１４  ストッパ
５４  当り部
６１  カムスライダ
６３  係合突起
【図１】
2006079724.tif 000003
【図２】
2006079724.tif 000004
【図３】
2006079724.tif 000005
【図４】
2006079724.tif 000006
【図５】
2006079724.tif 000007
【図６】
2006079724.tif 000008
【図７】
2006079724.tif 000009